(57)【要約】【課題】  見た目の良い領収書を容易に発行できるようにする。【解決手段】  本発明に係るＥＣＲ１によれば、名刺挿入口から名刺が挿入されると、文字読取装置２０により名刺に印字された文字列が認識され、認識された文字列から受取人名の候補が判別される。取引の開始から次の取引が開始されるまでの間において領収書キーが押下され領収書発行が指示されると、取引の終了後に当該取引で算出された取引合計金額及び判別された受取人名の文字列に基づいて領収書データが作成され、作成された領収書データに基づいて、印刷装置１７により領収書が印刷される。【選択図】図３
2005250672.tif 000002
【特許請求の範囲】
【請求項１】
一取引毎に取引合計金額を算出する取引合計金額算出手段と、
領収書の発行を指示する領収書発行指示手段と、
領収書の受取人名の文字列が表記された表示物を読み取って、その文字列を認識する文字列認識手段と、
前記認識された文字列から前記受取人名を判別する受取人名判別手段と、
取引の開始から次の取引が開始されるまでの間において前記領収書発行指示手段により領収書発行が指示された場合に、前記取引の終了後に当該取引で算出された取引合計金額及び前記判別された受取人名の文字列に基づいて領収書データを作成する領収書作成手段と、
前記作成された領収書データに基づいて、領収書を印刷する印刷手段と、
を備えたことを特徴とする領収書発行装置。
【請求項２】
一取引毎に取引合計金額を算出する取引合計金額算出手段と、
前記算出された取引合計金額を複数取引分記憶する記憶手段と、
領収書の発行を指示する領収書発行指示手段と、
前記記憶手段に記憶された複数取引のうち、領収書の発行の対象となる取引を設定する対象取引設定手段と、
領収書の受取人名の文字列が表記された表示物を読み取って、その文字列を認識する文字列認識手段と、
前記認識された文字列から前記受取人名を判別する受取人名判別手段と、
前記領収書発行指示手段により領収書発行が指示された場合に、前記対象取引設定手段により設定された対象取引の取引合計金額及び前記判別された受取人名の文字列に基づいて領収書データを作成する領収書作成手段と、
前記作成された領収書データに基づいて、領収書を印刷する印刷手段と、
を備えたことを特徴とする領収書発行装置。
【請求項３】
前記受取人名判別手段により判別された受取人名の候補を表示する表示手段を備えたことを特徴とする請求項１又は２に記載の領収書発行装置。
【請求項４】
文字入力を行うための文字入力手段を備え、
前記表示手段に表示された受取人名の候補が所望の名称でない場合に、前記文字入力手段により受取人名を修正可能としたことを特徴とする請求項３に記載の領収書発行装置。
【請求項５】
領収書発行の担当者の認証を行い、その認証が正当であると判断された際に、その認証された担当者に対応付けて予め記憶されている印鑑イメージを前記領収書データに合成する印鑑イメージ合成手段を備えたことを特徴とする請求項１〜４の何れか一項に記載の領収書発行装置。
【請求項６】
前記印鑑イメージは赤又は朱色で印刷されることを特徴とする請求項５に記載の領収書発行装置。
【請求項７】
前記文字列が表記された表示物は、印刷物であることを特徴とする請求項１〜６の何れか一項に記載の領収書発行装置。
【請求項８】
前記印刷物は、受取人名の文字列が表記された名刺であることを特徴とする請求項７に記載の領収書発行装置。
【請求項９】
コンピュータに、
一取引毎に取引合計金額を算出する機能と、
領収書の受取人名の文字列が表記された表示物を読み取って、その文字列を認識する機能と、
前記認識された文字列から前記受取人名を判別する機能と、
取引の開始から次の取引が開始されるまでの間において領収書発行が指示された場合に、前記取引の終了後に当該取引で算出された取引合計金額及び前記判別された受取人名の文字列に基づいて領収書データを作成する機能と、
前記作成された領収書データに基づいて、領収書を印刷する機能と、
を実現させるためのプログラム。
【請求項１０】
コンピュータに、
一取引毎に取引合計金額を算出する機能と、
前記算出された取引合計金額を複数取引分記憶する機能と、
前記記憶された複数取引のうち、領収書の発行の対象となる取引を設定する機能と、
領収書の受取人名の文字列が表記された表示物を読み取って、その文字列を認識する機能と、
前記認識された文字列から前記受取人名を判別する機能と、
領収書発行が指示された場合に、前記設定された対象取引の取引合計金額及び前記判別された受取人名の文字列に基づいて領収書データを作成する機能と、
前記作成された領収書データに基づいて、領収書を印刷する機能と、
を実現させるためのプログラム。
【発明の詳細な説明】
【技術分野】
【０００１】
本発明は、領収書の印刷発行を行う領収書発行装置及びそのプログラムに関する。
【背景技術】
【０００２】
近年、ＥＣＲ（電子式キャッシュレジスタ）やＰＯＳ端末（Point Of Sales system）において領収書を発行する機能が標準装備されるようになってきている。例えば、特許文献１には、取引終了後に領収書キーがキー入力されると、レシート用紙に、自動的に合計金額や日付等が印字された領収書が発行される技術が開示されている。
【特許文献１】特開平４−３５０７８８号公報
【発明の開示】
【発明が解決しようとする課題】
【０００３】
しかしながら、領収書発行は、合計金額や日付等が自動的に入力されても領収書の受取人欄は店員が手書きで対応しなければならず、また、確認用の印鑑も手操作で押印しなければならず、煩雑であった。また、領収書発行は店員が取引の入力の合間に行うものであり、手早く処理することが要求されるため、常にきれいな文字で見栄えのよい領収書を発行することは困難であった。受取人欄は、文字入力機能を用いて入力する場合もあるが、ある程度入力操作に習熟した店員でなければ煩雑で時間がかかっていた。
【０００４】
また、合計金額を自動入力する場合、次の取引が開始されると、合計金額を記憶しておくメモリが前の合計金額をクリア或いは上書きしてしまうため、顧客に前の取引における領収書の発行を依頼されても、そのニーズに応じることができなかった。
【０００５】
本発明の課題は、見た目の良い領収書を容易に発行できるようにすることである。
【課題を解決するための手段】
【０００６】
上記課題を解決するため、請求項１に記載の発明の領収書発行装置は、
一取引毎に取引合計金額を算出する取引合計金額算出手段と、
領収書の発行を指示する領収書発行指示手段と、
領収書の受取人名の文字列が表記された表示物を読み取って、その文字列を認識する文字列認識手段と、
前記認識された文字列から前記受取人名を判別する受取人名判別手段と、
取引の開始から次の取引が開始されるまでの間において前記領収書発行指示手段により領収書発行が指示された場合に、前記取引の終了後に当該取引で算出された取引合計金額及び前記判別された受取人名の文字列に基づいて領収書データを作成する領収書作成手段と、
前記作成された領収書データに基づいて、領収書を印刷する印刷手段と、
を備えたことを特徴としている。
【０００７】
請求項２に記載の発明の領収書発行装置は、
一取引毎に取引合計金額を算出する取引合計金額算出手段と、
前記算出された取引合計金額を複数取引分記憶する記憶手段と、
領収書の発行を指示する領収書発行指示手段と、
前記記憶手段に記憶された複数取引のうち、領収書の発行の対象となる取引を設定する対象取引設定手段と、
領収書の受取人名の文字列が表記された表示物を読み取って、その文字列を認識する文字列認識手段と、
前記認識された文字列から前記受取人名を判別する受取人名判別手段と、
前記領収書発行指示手段により領収書発行が指示された場合に、前記対象取引設定手段により設定された対象取引の取引合計金額及び前記判別された受取人名の文字列に基づいて領収書データを作成する領収書作成手段と、
前記作成された領収書データに基づいて、領収書を印刷する印刷手段と、
を備えたことを特徴としている。
【０００８】
請求項９に記載の発明は、
コンピュータに、
一取引毎に取引合計金額を算出する機能と、
領収書の受取人名の文字列が表記された表示物を読み取って、その文字列を認識する機能と、
前記認識された文字列から前記受取人名を判別する機能と、
取引の開始から次の取引が開始されるまでの間において領収書発行が指示された場合に、前記取引の終了後に当該取引で算出された取引合計金額及び前記判別された受取人名の文字列に基づいて領収書データを作成する機能と、
前記作成された領収書データに基づいて、領収書を印刷する機能と、
を実現させるためのプログラムであることを特徴としている。
【０００９】
請求項１０に記載の発明は、
コンピュータに、
一取引毎に取引合計金額を算出する機能と、
前記算出された取引合計金額を複数取引分記憶する機能と、
前記記憶された複数取引のうち、領収書の発行の対象となる取引を設定する機能と、
領収書の受取人名の文字列が表記された表示物を読み取って、その文字列を認識する機能と、
前記認識された文字列から前記受取人名を判別する機能と、
領収書発行が指示された場合に、前記設定された対象取引の取引合計金額及び前記判別された受取人名の文字列に基づいて領収書データを作成する機能と、
前記作成された領収書データに基づいて、領収書を印刷する機能と、
を実現させるためのプログラムであることを特徴としている。
【発明の効果】
【００１０】
請求項１、９に記載の発明によれば、一取引毎に取引合計金額を算出し、領収書の受取人名の文字列が表記された表示物を読み取って、その文字列を認識し、認識された文字列から受取人名を判別する。そして、取引の開始から次の取引が開始されるまでの間において領収書発行が指示された場合に、取引の終了後に当該取引で算出された取引合計金額及び判別された受取人名の文字列に基づいて領収書データを作成し、作成された領収書データに基づいて、領収書を印刷する。
【００１１】
従って、領収書の受取人名の文字列が表記された表示物を読み取ることにより認識、判別された文字列が受取人名として領収書に印刷されるので、従来のように手書きで受取人名を記入したり、文字入力機能から入力したりという店員の手間が軽減され、領収書の発行が容易になるとともに、受取人名が印刷された、見栄えのよい領収書を発行することが可能となる。
【００１２】
請求項２、１０に記載の発明によれば、一取引毎に取引合計金額を算出し、算出された取引合計金額を複数取引分記憶する。また、領収書の受取人名の文字列が表記された表示物を読み取って、その文字列を認識し、認識された文字列から受取人名を判別する。そして、記憶された複数取引のうち、領収書の発行の対象となる取引が設定され、領収書発行が指示された場合に、設定された対象取引の取引合計金額及び判別された受取人名の文字列に基づいて領収書データを作成し、作成された領収書データに基づいて、領収書を印刷する。
【００１３】
従って、領収書の受取人名の文字列が表記された表示物を読み取ることにより認識、判別された文字列が受取人名として領収書に印刷されるので、従来のように手書きで受取人名を記入したり、文字入力機能から入力したりという店員の手間が軽減され、領収書の発行が容易になるとともに、受取人名が印刷された、見栄えのよい領収書を発行することが可能となる。また、複数取引の取引合計金額をメモリに記憶しておくので、次の取引が開始されてから前の取引に対する領収書の発行を要求された場合においても、そのニーズに応じることが可能となる。
【００１４】
請求項３に記載の発明によれば、判別された受取人名の候補を表示するので、判別された受取人名が正しいか否かを確認させることができる。
【００１５】
請求項４に記載の発明によれば、表示された受取人名の候補が所望の名称ではない場合に、文字入力手段により修正入力が可能であるので、受取人名が誤った領収書が発行されることを防止することができる。
【００１６】
請求項５に記載の発明によれば、領収書発行の担当者の認証を行い、その認証が正当であると判断された際に、その認証された担当者に対応付けて予め記憶されている印鑑イメージを領収書データに合成するので、従来のように、領収書発行の担当者である店員が印鑑を手操作で押印する必要がなくなり、店員の手間が軽減され、領収書の発行が容易になるとともに、受取人名が印刷された、見栄えのよい領収書を発行することが可能となる。
【００１７】
請求項６に記載の発明によれば、領収書データに合成される印鑑イメージは赤色又は朱色で印刷されるので、見栄えのよい領収書を発行することが可能となる。
【００１８】
請求項７に記載の発明によれば、領収書の受取人名の文字列が表記された印刷物を読み取って受取人名を印刷することが可能となる。
【００１９】
請求項８に記載の発明によれば、名刺を読み取って受取人名を印刷することが可能となる。
【発明を実施するための最良の形態】
【００２０】
以下、図を参照して本発明の実施形態１、２について詳細に説明する。
実施形態１、２では、本発明の領収書発行装置をＥＣＲに適用した例を説明する。
【００２１】
（実施形態１）
まず、構成を説明する。
図１、２に、実施形態１におけるＥＣＲ１の外観を示す。
図１、２に示すように、ＥＣＲ１は、本体部１０及びドロア１９により構成されている。本体部１０は、図１に示すように、その前面にキースイッチ２、テンキー／ファンクションキー３、クラークキー４、操作者用ディスプレイ５、レシートを排出するレシート排出口Ｒ、ジャーナルを排出するジャーナル排出口Ｊ等を備えて構成されている。また、本体部１０は、図２に示すように、その背面に顧客用ディスプレイ６、領収書キー７、キャンセルキー８、名刺挿入口９等を備えて構成されている。
【００２２】
キースイッチ２は、売上データを登録する登録モードＲＥＧ、返品戻し処理を行う戻しモードＲＦ、登録された売上データを点検する点検モードＸ、登録された売上データを読み出すとともにリセットする精算モードＺ、ＥＣＲ１の各種環境設定を行う設定モードＰ、各動作モードを終了し、動作停止するＯＦＦモードのうち、所望のモードを指定するためのスイッチである。
【００２３】
テンキー／ファンクションキー３は、数値を入力するためのテンキー、文字を入力するための文字キー、各種機能を指示するためのファンクションキーにより構成されている。本実施の形態において、テンキー／ファンクションキー３は、例えば、領収書の発行を指示するための領収書キー３１、領収書への受取人名の入力のキャンセルを指示するためのキャンセルキー３２、領収書に印字する文字の修正を指示するための修正キー３３を有している。なお、領収書キー３１は、後述する受取人名入力処理において入力されると、受取人名の確定指示キーとして機能する。
【００２４】
クラークキー４は、ＥＣＲ１を操作する担当者（操作者）を区別するためのキーである。
【００２５】
操作者用ディスプレイ５は、ＬＣＤ（Liquid Crystal Display）等により構成され、入力された売上データやそのデータ処理結果等の各種情報を操作者に対して表示する。また、操作用ディスプレイ５の表示画面上には、タッチパネルが備えられている。
【００２６】
顧客用ディスプレイ６は、ＬＣＤ等により構成され、入力された売上データやそのデータ処理結果等の各種情報を顧客に対して表示する。
【００２７】
領収書キー７は、顧客が領収書の発行を指示するためのキーである。キャンセルキー８は、顧客が領収書の受取人名の入力のキャンセルを指示するためのキーである。名刺挿入口９は、領収書発行を希望する顧客の名刺を挿入するための挿入口である。
【００２８】
ドロア１９は、現金を収納する引出しである。
【００２９】
図３に、ＥＣＲ１の内部構成を示す。図３に示すように、ＥＣＲ１は、ＣＰＵ１１、入力装置１２、ＲＡＭ１３、計時部１４、伝送制御部１５、表示装置１６、印字装置１７、記録装置１８、ドロア１９、文字読取装置２０等を備えて構成され、各装置及び各部はバス２１により接続されている。
【００３０】
ＣＰＵ（Central Processing Unit）１１は、記録装置１８に記憶されているシステムプログラムを読み出し、ＲＡＭ１３内に形成されたワークエリアに展開し、該システムプログラムに従ってＥＣＲ１の各装置、各部を制御する。また、ＣＰＵ１１は、記録装置１８に記憶されている取引処理Ａプログラム、領収書発行処理プログラム、受取人名入力処理プログラムを始めとする各種処理プログラムを読み出してワークエリアに展開し、後述する取引処理Ａ（図５参照）、領収書発行処理（図６参照）、受取人名入力処理（図７参照）を始めとする各種処理を実行し、それらの処理結果をＲＡＭ１３のワークエリアに記憶する。そして、ワークエリアに格納した処理結果を記録装置１８内の指定の保存先に保存させたり、表示装置１６に表示させたりする。
【００３１】
入力装置１２は、図１に示したキースイッチ２、テンキー／ファンクションキー３及びクラークキー４、図２に示した領収書キー７及びキャンセルキー８等を備え、各キー操作に応じた操作信号をＣＰＵ１１に出力する。また、入力装置１２は、表示装置１６の表示画面上を覆うタッチパネルを備え、その押下信号をＣＰＵ１１に出力する。
【００３２】
ＲＡＭ（Random Access Memory）１３は、ＣＰＵ１１により実行されるシステムプログラム、各種処理プログラム、各処理において処理中のデータ、処理結果などを一時的に格納するワークエリアを形成する。また、ＲＡＭ１３は、一取引の小計金額データを格納する小計メモリ（図示せず）、締め処理された一取引の取引合計金額データを格納する一取引合計メモリ（図示せず）、ＰＬＵ（Price Look Up）ファイル、部門ファイル等の売上データを格納する各種売上データメモリ（図示せず）等を有している。
【００３３】
計時部１４は、現在日時情報を取得してＣＰＵ１１に出力する。
【００３４】
伝送制御部１５は、モデム（ＭＯＤＥＭ：MOdulater/DEModulater）またはターミナルアダプタ（ＴＡ：Terminal Adapter）等によって構成され、電話回線、ＩＳＤＮ回線等の通信回線を介して外部機器との通信を行うための制御を行う。
【００３５】
表示装置１６は、図１に示した操作者用ディスプレイ５、図２に示した顧客用ディスプレイ６等により構成され、ＣＰＵ１１から入力される各種指示に従って各種演算結果やプログラム内容や、設定ガイダンス等の表示を行う。
【００３６】
印刷装置１７は、例えば、少なくとも赤（朱）色での印刷が可能なサーマルプリンタであり、レシート用、ジャーナル用（商品登録内容の記録用）のロール紙を有し、ＣＰＵ１１から入力される指示に従って、各ロール紙に対して各種売上データ、小計データ等の金額データを売上明細として印刷する。また、印刷装置１７は、ＣＰＵ１１から入力される領収書データに基づいて、レシート用のロール紙に印刷を行い、領収書を発行する。
【００３７】
記録装置１８は、プログラムやデータ等が予め記憶された記録媒体（図示せず）を有し、この記録媒体は磁気的、光学的記録媒体、若しくは半導体等の不揮発性メモリで構成されている。記録媒体は、記録装置１８に固定的に設けたもの、若しくは着脱自在に装着するものであり、記録媒体には、ＥＣＲ１に対応するシステムプログラム、各種処理プログラム、これらのプログラムで利用する各種データ等を予め記憶する。これらの各処理プログラムは、読み取り可能なプログラムコードの形態で格納され、ＣＰＵ１１は、当該プログラムコードに従った動作を逐次実行する。
【００３８】
なお、記録装置１８の記録媒体に記録するプログラムやデータは、その一部若しくは全部をサーバやクライアントの他の機器からＷＡＮ（Wide Area Network）やＬＡＮ（Local Area Network）等のネットワーク回線の伝送媒体を介して、伝送制御部１５から受信して記憶する構成にしてもよく、更に、記録媒体はネットワーク上に構築されたサーバやクライアントの記録媒体であってもよい。
【００３９】
記録装置１８は、例えば、図４（ａ）に示す受取人名候補文字テーブル１８１、図４（ｂ）に示す担当者別印鑑イメージテーブル１８２、図示しない領収書フォームデータ１８３を格納している。
【００４０】
受取人名候補文字テーブル１８１は、図４（ａ）に示すように、名刺に印字され得る文字情報のうち、領収書の受取人名として利用され得る文字情報（例えば、株式会社、有限会社、銀行等）を格納する。
担当別印鑑イメージテーブル１８２は、図４（ｂ）に示すように、ＥＣＲ１を操作する担当者別に、指紋情報のデータと印鑑イメージのデータとを対応付けて格納する。
領収書フォームデータ格納部１８３は、領収書の書面に印刷するレイアウト、例えば、領収書に記載する固定的な文字、その文字の配置位置、装飾、受取人名を記載する受取人領域、領収金額（取引合計金額）を記載する金額領域等が設定された領収書フォームのデータを格納する。
【００４１】
ドロア１９は、図１に示す現金を収納する引出しである。
文字読取装置（Optical Character Reader）２０は、名刺挿入口９から挿入された名刺に印字された文字を光学的に読み取って認識し、認識した文字情報をＣＰＵ１１に出力する。
【００４２】
次に、本実施形態の動作について説明する。
図５に、ＣＰＵ１１により実行される取引処理Ａを示す。
【００４３】
取引処理Ａにおいて、まず、入力装置１２により入力が行われると、当該入力が商品登録の指示であるか否かが判断され、商品登録の指示であると判断された場合（ステップＳ１；ＹＥＳ）、この商品登録が一取引の最初の商品登録であるか否かが判断され、一取引の最初の商品登録であると判断された場合は（ステップＳ２；ＹＥＳ）、小計メモリ（図示せず）がクリアされる（ステップＳ３）。次いで、ＰＬＵファイル、部門ファイル（図示せず）等の各種売上データメモリが更新され（ステップＳ４）、商品の名称（商品コード）、金額等の商品データが印刷装置１７によりレシート及びジャーナルに印刷されるとともに、操作者用ディスプレイ５及び顧客用ディスプレイ６に表示され（ステップＳ５）、商品の金額が小計メモリに加算され（ステップＳ６）、処理はステップＳ１に戻る。
【００４４】
一方、ステップＳ１において入力装置１２からの入力が商品登録の指示ではないと判断されると（ステップＳ１；ＮＯ）、当該入力が締め処理の指示であるか否かが判断され、締め処理の指示であると判断された場合は（ステップＳ７；ＹＥＳ）、締め処理が実行される（ステップＳ８）。即ち、小計メモリに格納されている小計金額が読み出されて消費税及び取引合計金額が算出され、操作者用ディスプレイ５及び顧客用ディスプレイ６に表示される。また、印刷装置１７により小計金額、消費税及び取引合計金額がレシートに印刷されてレシートが発行され（ステップＳ９）、算出された取引合計金額により一取引合計メモリのデータが上書きされ（ステップＳ１０）、処理はステップＳ１に戻る。
【００４５】
一方、ステップＳ７において入力装置１２からの入力が締め処理の指示ではないと判断されると（ステップＳ７；ＮＯ）、当該入力が領収書キー３１又は領収書キー７であるか否かが判断され、領収書キー３１又は領収書キー７であると判断され（ステップＳ１１；ＹＥＳ）、且つ一取引の締め後の次取引前であると判断された場合（ステップＳ１２；ＹＥＳ）、図６に示す領収書発行処理が実行され（ステップＳ１３）、処理はステップＳ１に戻る。
【００４６】
一方、ステップＳ１１において当該入力が領収書キー３１又は領収書キー７であると判断され、一取引の締め後の次取引前ではない、即ち、一取引の最中であると判断された場合（ステップＳ１２；ＮＯ）、図７に示す受取人名入力処理が実行され（ステップＳ１４）、処理はステップＳ１に戻る。
【００４７】
一方、ステップＳ１１において、当該入力が領収書キー３１又は領収書キー７ではないと判断された場合（ステップＳ１１；ＮＯ）、入力装置１２の操作に応じた他の入力処理が実行され（ステップＳ１５）、処理はステップＳ１に戻る。
【００４８】
次に、図６を参照して領収書発行処理について説明する。
図６に、図５のステップＳ１３においてＣＰＵ１１により実行される領収書発行処理を示す。
【００４９】
まず、領収書発行のための受取人名入力処理が終了しているか否かが判断され（ステップＳ１０１）、受取人名入力処理が終了していない場合には（ステップＳ１０１；ＮＯ）、図７に示す受取人名入力処理が実行される（ステップＳ１０２）。
【００５０】
ここで、図７を参照して受取人名入力処理について説明する。
図７に、図５のステップＳ１４及び図６のステップＳ１０２においてＣＰＵ１１により実行される受取人名入力処理を示す。
【００５１】
まず、顧客用ディスプレイ６の領域６１に「領収書に会社名が必要な場合は名刺を名刺挿入口に入れて下さい」等の名刺挿入ガイダンスが表示される（ステップＳ２０１）。名刺挿入口９に名刺が挿入されると（ステップＳ２０２；ＹＥＳ）、文字読取装置２０により挿入された名刺の文字列（名刺情報）が読み取られ（ステップＳ２０３）、読み取られた文字列から受取人名が検索、判別される（ステップＳ２０４）。即ち、図４（ａ）に示す受取人名候補文字テーブル１８１が参照され、受取人名候補文字テーブル１８１に格納された文字情報を含む文字列が検索され、受取人名が判別される。
【００５２】
次いで、判別された文字列が受取人名候補として操作者用ディスプレイ５に表示され（ステップＳ２０５）、入力装置１２の領収書キー３１が押下されることにより、確定指示が入力されると（ステップＳ２０６；ＹＥＳ）、表示された文字列が受取人名として設定され（ステップＳ２１４）、本処理は終了する。
【００５３】
ステップＳ２０６において、確定指示が入力されず（ステップＳ２０６；ＮＯ）、修正キー３３が押下されて受取人名の修正指示が入力されると（ステップＳ２０７；ＹＥＳ）、テンキー／ファンクションキー３からの入力に応じて受取人名が修正され、修正された文字列が受取人名候補として操作者用ディスプレイ５に表示され（ステップＳ２０８）、処理はステップＳ２０６に戻る。ステップＳ２０６において、入力装置１２の領収書キー３１が押下されることにより、確定指示が入力されると（ステップＳ２０６；ＹＥＳ）、表示された文字列が受取人名として設定され（ステップＳ２１４）、本処理は終了する。
【００５４】
ステップＳ２０７において、修正キー３３が押下されず、また、キャンセルキー３２又はキャンセルキー８が押下されない場合は（ステップＳ２０９；ＮＯ）、処理はステップＳ２０４に戻る。ステップＳ２０９において、キャンセルキー３２又はキャンセルキー８が押下されると（ステップＳ２０９；ＹＥＳ）、受取人名の入力がキャンセルされ、受取人名が空白として操作者用ディスプレイ５に表示され、処理はステップＳ２０６に戻る。ステップＳ２０６において、入力装置１２の領収書キー３１が押下されることにより、確定指示が入力されると（ステップＳ２０６；ＹＥＳ）、受取人名に空白が設定され（ステップＳ２１４）、本処理は終了する。
【００５５】
一方、ステップＳ２０２において、名刺挿入口９から名刺が挿入されず（ステップＳ２０２；ＮＯ）、入力装置１２のテンキー／ファンクションキー３により文字入力が指示されると（ステップＳ２１０；ＹＥＳ）、テンキー／ファンクションキー３からの操作に応じて入力された文字列が受取人名候補として操作者用ディスプレイ５に表示され（ステップＳ２１１）、処理はステップＳ２０６に移行する。ステップＳ２０６において、入力装置１２の領収書キー３１が押下されることにより、確定指示が入力されると（ステップＳ２０６；ＹＥＳ）、表示された文字列が受取人名として設定され（ステップＳ２１４）、本処理は終了する。
【００５６】
名刺挿入口９から名刺が挿入されず（ステップＳ２０２；ＮＯ）、また、入力装置１２から文字入力が指示されず（ステップＳ２１０；ＮＯ）、無記名が指示された場合は（ステップＳ２１２；ＹＥＳ）、受取人名として「上様」が自動入力され、入力された文字列が受取人名候補として操作者用ディスプレイ５に表示され（ステップＳ２１３）、処理はステップＳ２０６に移行する。ステップＳ２０６において、入力装置１２の領収書キー３１が押下されることにより、確定指示が入力されると（ステップＳ２０６；ＹＥＳ）、表示された文字列の「上様」が受取人名として設定され（ステップＳ２１４）、本処理は終了する。ステップＳ２１２において無記名が指示されない場合は、処理はステップＳ２０１に戻り、ステップＳ２０１以降の処理が繰り返し実行される。
【００５７】
図６の領収書発行処理において受取人名入力処理が終了すると、処理はステップＳ１０３に移行し、領収書フォームデータ１８３が読み出され（ステップＳ１０３）、読み出された領収書フォームデータに、受取人名、一取引合計メモリに格納されている取引合計金額等が合成されて領収書データが作成され（ステップＳ１０４）、作成された領収書データが操作者用ディスプレイ５の領収書データ表示領域５１（図１参照）に表示され（ステップＳ１０５）、「印鑑欄５１ａ（タッチ入力位置）に指紋入力して下さい」等の指紋入力ガイダンスが表示される（ステップＳ１０６）。
【００５８】
領収書発行の担当者（操作者）により印鑑欄５１ａのタッチ入力位置がタッチされ、指紋が入力されると（ステップＳ１０７；ＹＥＳ）、担当者別印鑑イメージテーブル１８２に格納されている指紋情報が検索され（ステップＳ１０８）、領収書発行の担当者の認証が行われる。入力された指紋と合致する指紋情報がある場合には（ステップＳ１０９；ＹＥＳ）、当該担当者が正当であると判断されて当該担当者の指紋情報に対応する印鑑イメージデータが読み出され（ステップＳ１１０）、処理はステップＳ１１２に移行する。入力された指紋と合致する指紋情報がない場合（ステップＳ１０９；ＮＯ）、操作者用ディスプレイ５にエラー表示がなされることにより、エラーが報知され（ステップＳ１１１）、本処理は終了し、処理は図５のステップＳ１に移行する。
【００５９】
ステップＳ１１２においては、ステップＳ１０４で合成された領収書データに印鑑イメージが赤色（又は朱色）修飾されて合成され、印鑑イメージが合成された合成データが領収書として印刷装置１７により印刷され（印鑑イメージは赤色（又は朱色）で印刷され）、領収書として発行され（ステップＳ１１３）、本処理は終了し、処理は図５のステップＳ１に移行する。
【００６０】
図８に、ステップＳ１１３において発行される領収書Ｑの一例を示す。図８に示すように、領収書Ｑには、受取人名を記載する領域ｄ１に、受取人名入力処理により設定された受取人名が印字され、その下部の領収金額を記載する領域ｄ２には、締め処理において算出された一取引における取引合計金額（消費税込み）が領収金額として印字される。また、印鑑領域ｄ３には、指紋入力した担当者に対応する印鑑イメージが赤色（又は朱色）で印字される。
【００６１】
以上説明したように、本発明に係るＥＣＲ１によれば、名刺挿入口９から名刺が挿入されると、文字読取装置２０により名刺に印字された文字列が認識され、認識された文字列から受取人名の候補が判別される。取引の開始から次の取引が開始されるまでの間において領収書キー３１又は領収書キー７が押下され領収書発行が指示されると、取引の終了後に当該取引で算出された取引合計金額及び判別された受取人名の文字列に基づいて領収書データが作成され、作成された領収書データに基づいて、印刷装置１７により領収書が印刷される。
【００６２】
従って、名刺を読み取ることにより認識、判別された文字列が受取人名として領収書に印刷されるので、従来のように手書きで受取人名を記入したり、文字入力機能から入力したりという店員の手間が軽減され、領収書の発行が容易になるとともに、受取人名が印刷された、見栄えのよい領収書を発行することが可能となる。
【００６３】
また、名刺を読み取って判別された受取人名の候補を操作者用ディスプレイ５に表示させるので、判別された受取人名が正しいか否かを操作者に確認させることができる。また、修正が必要な場合には、テンキー／ファンクションキー３により修正入力が可能であるので、受取人名が誤った領収書が発行されることを防止することができる。
【００６４】
また、操作者用ディスプレイ５に表示された領収書データの所定領域を操作者がタッチすることにより入力される指紋情報により、操作者の認証を行い、認証された操作者に対応付けられて記憶されている印鑑イメージデータを領収書データに合成し、印鑑イメージを赤色で印刷するので、従来のように、領収書発行の担当者が印鑑を手操作で押印する必要がなくなり、店員の手間が軽減され、領収書の発行が容易になるとともに、受取人名が印刷された、見栄えのよい領収書を発行することが可能となる。
【００６５】
なお、上記実施形態１における記述内容は、本発明に係るＥＣＲ１の好適な一例であり、これに限定されるものではない。
【００６６】
例えば、上記実施形態１においては、名刺に記載されている文字列を認識し、認識された文字列から受取人名を判別して設定することとしたが、文字読取装置２０により認識する受取人名は、名刺に限らず、パスポート、各種免許証、保険証、社員証、携帯電話機の表示画面等、受取人名が記載されている表示物であれば特に限定されない。
【００６７】
また、文字読取装置２０により読み取り、受取人名として認識する文字列は、アルファベット等、日本語以外の文字であってもよい。また、領収書は、縦長に印刷されるものであってもよい。
【００６８】
また、領収書には、取引合計金額のみでなく、消費税額等を印刷するようにしてもよい。
【００６９】
その他、ＥＣＲ１を構成する各装置及び各部の細部構成及び細部動作に関しても、本発明の趣旨を逸脱することのない範囲で適宜変更可能である。
【００７０】
（実施形態２）
以下、図を参照して本発明の実施形態２について説明する。
実施形態２において、ＲＡＭ１３の一取引合計メモリは、図９に示すように、複数取引分（ここでは２取引分）の一取引毎の取引合計金額データ及びその取引の締め処理を行った時刻データを格納する領域を有している。
【００７１】
実施形態２におけるＥＣＲ１のその他の構成は、実施形態１で説明したものと同様であるのでその説明は省略する。
【００７２】
次に、実施形態２の動作について説明する。
図１０に、ＣＰＵ１１により実行される取引処理Ｂを示す。以下、図１０を参照して取引処理Ｂについて説明する。
【００７３】
まず、入力装置１２により入力が行われると、当該入力が商品登録の指示であるか否かが判断され、商品登録の指示であると判断された場合（ステップＳ２１；ＹＥＳ）、この商品登録が一取引の最初の商品登録であるか否かが判断され、一取引の最初の商品登録であると判断された場合は（ステップＳ２２；ＹＥＳ）、小計メモリ（図示せず）がクリアされる（ステップＳ２３）。次いで、ＰＬＵファイル、部門ファイル（図示せず）等の各種売上データメモリが更新され（ステップＳ２４）、商品の名称（商品コード）、金額等の商品データが印刷装置１７によりレシート及びジャーナルに印刷されるとともに、操作者用ディスプレイ５及び顧客用ディスプレイ６に表示され（ステップＳ２５）、商品の金額が小計メモリに加算され（ステップＳ２６）、処理はステップＳ２１に戻る。
【００７４】
一方、ステップＳ２１において入力装置１２からの入力が商品登録の指示ではないと判断されると（ステップＳ２１；ＮＯ）、当該入力が締め処理の指示であるか否かが判断され、締め処理の指示であると判断された場合は（ステップＳ２７；ＹＥＳ）、締め処理が実行される（ステップＳ２８）。即ち、小計メモリに格納されている小計金額が読み出され、消費税及び取引合計金額が算出され、操作者用ディスプレイ５及び顧客用ディスプレイ６に表示される。また、印刷装置１７により小計金額、消費税及び取引合計金額がレシートに印刷されてレシートが発行され（ステップＳ２９）、算出された取引合計金額と計時部１４から取得された現在時刻のデータとが一取引合計メモリの古いデータに上書きされ（ステップＳ３０）、処理はステップＳ２１に戻る。
【００７５】
一方、ステップＳ２７において入力装置１２からの入力が締め処理の指示ではないと判断されると（ステップＳ２７；ＮＯ）、当該入力が領収書キー３１又は領収書キー７であるか否かが判断される。当該入力が領収書キー３１又は領収書キー７でないと判断された場合（ステップＳ３１；ＮＯ）、当該入力が領収書発行の対象となる対象取引の入力であるか否かが判断され、当該入力が対象取引入力であると判断されると（ステップＳ３２；ＹＥＳ）、入力に基づいて、領収書発行の対象となる取引が設定され、一取引合計メモリからこの設定された取引の取引合計金額が読み出され（ステップＳ３３）、処理はステップＳ２１に戻る。対象取引入力は、テンキー／ファンクションキー３の「取引キー」＋「１」又は「２」のキー入力により行われる。「１」が指定されると、一取引合計メモリの時刻の古いデータの取引が対象取引として設定され、一取引合計メモリの時刻の古いデータが読み出される。ステップＳ３２において、当該入力が対象取引入力ではないと判断された場合（ステップＳ３２；ＮＯ）、入力装置１２の操作に応じた他の入力処理が実行され（ステップＳ３４）、処理はステップＳ２１に戻る。
【００７６】
一方、ステップＳ３１において、当該入力が領収書キー３１又は領収書キー７であると判断された場合（ステップＳ３１；ＹＥＳ）、領収書発行の対象となる対象取引が入力済みであるか否かが判断され、対象取引が入力済みではない場合（ステップＳ３５；ＮＯ）、操作者用ディスプレイ５に対象取引の入力を促すガイダンスが表示され（ステップＳ３６）、処理はステップＳ２１に戻る。対象取引が入力済みである場合は（ステップＳ３５；ＹＥＳ）、図６に示す領収書発行処理が実行され、ステップＳ１０４においては、領収書フォームデータに、受取人名、対象取引として設定された取引に対する取引合計金額等が合成されて領収書データが作成され、この領収書データに基づいて領収書が印刷発行され、処理はステップＳ２１に戻る。
【００７７】
以上説明したように、ＥＣＲ１によれば、一取引合計メモリに取引合計金額が記憶された複数取引から領収書発行の対象となる取引が設定され、領収書キー３１又は領収書キー７の押下により領収書の発行が指示されると、文字読取装置２０により、名刺挿入口９から挿入された名刺に印字された文字列が認識され、認識された文字列から受取人名の候補が判別され、設定された対象取引の取引合計金額及び判別された受取人名の文字列に基づいて領収書データが作成され、作成された領収書データに基づいて、印刷装置１７により領収書が印刷される。
【００７８】
従って、名刺を読み取ることにより認識、判別された文字列が受取人名として領収書に印刷されるので、従来のように手書きで受取人名を記入したり、文字入力機能から入力したりという店員の手間が軽減され、領収書の発行が容易になるとともに、受取人名が印刷された、見栄えのよい領収書を発行することが可能となる。また、複数取引の取引合計金額をメモリに記憶しておくので、次の取引が開始されてから前の取引に対する領収書の発行を要求された場合においても、そのニーズに応じることが可能となる。
【００７９】
また、名刺を読み取って判別された受取人名の候補を操作者用ディスプレイ５に表示させるので、判別された受取人名が正しいか否かを操作者に確認させることができる。また、修正が必要な場合には、テンキー／ファンクションキー３により修正入力が可能であるので、受取人名が誤った領収書が発行されることを防止することができる。
【００８０】
また、操作者用ディスプレイ５に表示された領収書データの所定領域を操作者がタッチすることにより入力される指紋情報により、操作者の認証を行い、認証された操作者に対応付けられて記憶されている印鑑イメージデータを領収書データに合成し、印鑑イメージを赤色又は朱色で印刷するので、従来のように、領収書発行の担当者が印鑑を手操作で押印する必要がなくなり、店員の手間が軽減され、領収書の発行が容易になるとともに、受取人名が印刷された、見栄えのよい領収書を発行することが可能となる。
【００８１】
なお、上記実施形態２における記述内容は、本発明に係るＥＣＲ１の好適な一例であり、これに限定されるものではない。
【００８２】
例えば、上記実施形態２においては、名刺に記載されている文字列を認識し、認識された文字列から受取人名を判別して設定することとしたが、文字読取装置２０により認識する受取人名は、名刺に限らず、パスポート、各種免許証、保険証、社員証、携帯電話機の表示画面等、受取人名が記載されている表示物であれば特に限定されない。
【００８３】
また、文字読取装置２０により読み取り、受取人名として認識する文字列は、アルファベット等、日本語以外の文字であってもよい。また、領収書は、縦長に印刷されるものであってもよい。
【００８４】
また、領収書には、取引合計金額のみでなく、消費税額等を印刷するようにしてもよい。
【００８５】
また、上記実施形態２においては、領収書発行の対象となる取引の指定入力は、何取引前の取引かを入力することにより行うこととしたが、取引合計金額をレシートＮＯ．と対応付けて記憶しておき、レシートＮＯ．の指定により対象取引を指定するようにしてもよい。
【００８６】
その他、ＥＣＲ１を構成する各装置及び各部の細部構成及び細部動作に関しても、本発明の趣旨を逸脱することのない範囲で適宜変更可能である。
【図面の簡単な説明】
【００８７】
【図１】本発明に係るＥＣＲ１の前面を示す外観図である。
【図２】本発明に係るＥＣＲ１の背面を示す外観図である。
【図３】ＥＣＲ１の機能的構成を示すブロック図である。
【図４】図４（ａ）は、受取人名候補文字テーブル１８１のデータ格納例を示す図、図４（ｂ）は、担当別印鑑イメージテーブル１８２のデータ格納例を示す図である。
【図５】図３のＣＰＵ１１により実行される取引処理Ａを示すフローチャートである。
【図６】図３のＣＰＵ１１により実行される領収書発行処理を示すフローチャートである。
【図７】図３のＣＰＵ１１により実行される受取人名入力処理を示すフローチャートである。
【図８】ＥＣＲ１において発行される領収書Ｑの一例を示す図である。
【図９】ＲＡＭ１３の一取引合計メモリを示す図である。
【図１０】図３のＣＰＵ１１により実行される取引処理Ｂを示すフローチャートである。
【符号の説明】
【００８８】
１  ＥＣＲ
２  キースイッチ
３  テンキー／ファンクションキー
３１  領収書キー
３２  キャンセルキー
３３  修正キー
４  クラークキー
５  操作者用ディスプレイ
６  顧客用ディスプレイ
７  領収書キー
８  キャンセルキー
９  名刺挿入口
Ｒ  レシート排出口
Ｊ  ジャーナル排出口
１０  本体部
１１  ＣＰＵ
１２  入力装置
１３  ＲＡＭ
１４  計時部
１５  伝送制御部
１６  表示装置
１７  印刷装置
１８  記録装置
１９  ドロア
２０  文字読取装置
２１  バス
【図１】
2005250672.tif 000003
【図２】
2005250672.tif 000004
【図３】
2005250672.tif 000005
【図４】
2005250672.tif 000006
【図５】
2005250672.tif 000007
【図６】
2005250672.tif 000008
【図７】
2005250672.tif 000009
【図８】
2005250672.tif 000010
【図９】
2005250672.tif 000011
【図１０】
2005250672.tif 000012